(57)【特許請求の範囲】
【請求項１】
什器等の脚端部に、アジャスターやキャスター等を取付けるためのブッシュであって、
前記アジャスターやキャスター等に取り付けられたボルトに嵌合するナットを固定するためのナットホルダーと、
前記ナットホルダーを挿入して設置するためのナットホルダー設置部、および、前記ボルトの貫通孔を有し、前記什器等の脚端部の内部に嵌合するブッシュ本体と
を備えることを特徴とするチェンジナットブッシュ。
【請求項２】
前記ブッシュ本体において、挿入された前記ナットホルダーを取り外し易くするための窓部を前記ナットホルダー設置部の反対側に有する
ことを特徴とする請求項１記載のチェンジナットブッシュ。
【請求項３】
前記ブッシュ本体の前記貫通孔下部に嵌合し、前記ナットホルダーの下部に設置されるスリーブを有する
ことを特徴とする請求項１または２記載のチェンジナットブッシュ。
【発明の詳細な説明】
【技術分野】
【０００１】
本発明は、例えばカートやテーブルの什器等の脚端部に、アジャスターやキャスター等を取付けるためのブッシュに関するものである。
【背景技術】
【０００２】
例えば、特許文献１に示された従来のブッシュ（アジャスターナット体）では、家具の机や椅子・テーブル・ハンガー・棚などの脚部で、概略丸パイプ・四角パイプ・異形パイプ部材などで構成された脚端部に、その内部に嵌合取り付けされるように外形を成形され、アジャスターボルトやキャスターなどが取付けられるナット付アジャスター体で、合成樹脂などで製作されたアジャスター本体には胴部とフランジ部および内部に貫通孔が設けられ、その貫通孔にはナット体を外部から挿入・設置することができる挿入部および空間部が設けられ、空間部にはナット体の押さえリブ部が設けられ、押さえリブ部の外側外周部分は脚端部部材の内部に当接・嵌合するように構成される。また、ナット体を包み込むナット体ホルダーの外形部分は前記空間部に嵌合取り付けされ、その内部に貫通孔と、外形部分には前記アジャスター本体の押さえリブ部と嵌合するリブへこみ部分が設けられ、アジャスター本体にナット体とともに構成される。
【０００３】
これにより、アジャスター本体とナット体との着脱・分離が簡単に行える。このアジャスターナット体が脚端部に嵌合装着されているときはナット体の着脱・分離が出来ず、頑強にアジャスターナット体の一部となっているが、脚端部から取り出せば、アジャスター本体からナット体の着脱・分離は粉砕機などを用いなくてもナット体をアジャスター本体に挿入したときと同様に簡単に行える。
【先行技術文献】
【特許文献】
【０００４】
【特許文献１】特開２００１−１０４０７７号公報
【発明の概要】
【発明が解決しようとする課題】
【０００５】
しかしながら、従来のブッシュでは、アジャスターボルトやキャスターなどが取付けられるナット径（Ｍ３〜Ｍ１０）の変更に容易に対応できないという問題がある。また、現在の市販品は、角２５パイプでＭ８、丸２５パイプでＭ１０が適応サイズの最大であり、Ｍ１２が挿入不可能であるという問題もある。
【０００６】
さらに、アジャスター等の取り付け時の圧縮荷重や、キャスター取り付け時の引っ張り荷重に対し、特許文献１に示されたようなナット体の押さえリブ部を設ける構成では不十分であり、確実に締め付けが出来ないという問題がある。
【０００７】
本発明は、上述した問題点に鑑み、ナット径（Ｍ３〜Ｍ１０）の変更に容易に対応でき、Ｍ１２が挿入可能で、また、アジャスター等の取り付け時の圧縮荷重や、キャスター取り付け時の引っ張り荷重に対し、確実に締め付けが出来るブッシュを提供することを目的としている。
【課題を解決するための手段】
【０００８】
本発明に係るチェンジナットブッシュは、什器等の脚端部に、アジャスターやキャスター等を取付けるためのブッシュであって、前記アジャスターやキャスター等に取り付けられたボルトに嵌合するナットを固定するためのナットホルダーと、前記ナットホルダーを挿入して設置するためのナットホルダー設置部、および、前記ボルトの貫通孔を有し、前記什器等の脚端部の内部に嵌合するブッシュ本体とを備えることを特徴とする。
【０００９】
このように構成することで、複数のナット径に対応したナットホルダーを用意し、アジャスターやキャスター等に取り付けられたボルトに嵌合するナットを、対応するナットホルダーに固定し、ナットホルダー設置部にそのナットホルダーを挿入して設置し、什器等の脚端部の内部にブッシュ本体を嵌合させ、アジャスターやキャスター等に取り付けられたボルトに嵌合させることで、ナット径の変更に容易に対応できる。また、パイプ径に対して大きなナットの取り付けが可能になり、Ｍ１２のナットの挿入が可能となる。また、ナットホルダーがブッシュ本体のナットホルダー設置部に固定されているので、当接している面積が従来構造のものよりはるかに大きくなるため、アジャスター等の取り付け時の圧縮荷重や、キャスター取り付け時の引っ張り荷重に対し、従来構造のものよりも確実に締め付けができる。
【００１０】
また、本発明に係るチェンジナットブッシュは、前記ブッシュ本体において、挿入された前記ナットホルダーを取り外し易くするための窓部を前記ナットホルダー設置部の反対側に有する構成であることが好ましい。
【００１１】
このように構成することで、ナットホルダーをブッシュ本体から取り外す際、窓部の外側からナットホルダーを指で押し込むことにより、挿入された前記ナットホルダーを取り外し易くなる。
【００１２】
また、本発明に係るチェンジナットブッシュは、前記ブッシュ本体の前記貫通孔下部に嵌合し、前記ナットホルダーの下部に設置されるスリーブを有する構成であることが好ましい。
【００１３】
このように構成することで、貫通孔からの異物の混入や、ブッシュ本体とアジャスターやキャスター等とのガタツキを抑えることができる。
【発明の効果】
【００１４】
本発明に係るチェンジナットブッシュによれば、複数のナット径に対応したナットホルダーを用意し、アジャスターやキャスター等に取り付けられたボルトに嵌合するナットを、対応するナットホルダーに固定し、ナットホルダー設置部にそのナットホルダーを挿入して設置し、什器等の脚端部の内部にブッシュ本体を嵌合させ、アジャスターやキャスター等に取り付けられたボルトに嵌合させることで、ナット径（Ｍ３〜Ｍ１０）の変更に容易に対応できる。また、パイプ径に対して大きなナットの取り付けが可能になり、Ｍ１２のナットの挿入が可能となる。また、ナットホルダーがブッシュ本体の固定部に固定されているので、当接している面積が従来構造のものよりはるかに大きくなるため、アジャスター等の取り付け時の圧縮荷重や、キャスター取り付け時の引っ張り荷重に対し、従来構造のものよりも確実に締め付けができる。
【図面の簡単な説明】
【００１５】
【図１】本発明に係る角型チェンジナットブッシュ本体の外観を示す図である。
【図２】本発明に係る角型チェンジナットブッシュ本体の断面を示す図である。
【図３】本発明に係る丸型チェンジナットブッシュ本体の外観を示す図である。
【図４】本発明に係る丸型チェンジナットブッシュ本体の断面を示す図である。
【図５】本発明に係るナットホルダーの外観を示す図である。
【図６】本発明に係るナットホルダーの断面を示す図である。
【図７】本発明に係るスリーブの外観を示す図である。
【図８】本発明に係る丸型チェンジナットブッシュの構成を示す概念図である。
【図９】本発明に係る丸型チェンジナットブッシュの取り付けの実施例の外観および部分断面を示す図である。
【発明を実施するための形態】
【００１６】
以下、本発明の実施形態につき、図面を参照しながら説明を行う。図１は、本発明に係る角型チェンジナットブッシュ本体１の外観を示す図である。図１（ａ）は正面図、図１（ｂ）は右側面図、図１（ｃ）は背面図、図１（ｄ）は平面図、図１（ｅ）は底面図である。なお、左側面図は図１（ｂ）と対称のため、省略している。図２は、本発明に係る角型チェンジナットブッシュ本体１の断面を示す図である。図２（ａ）は垂直断面図、図２（ｂ）はナットホルダー設置部６のＡ−Ａ´水平断面図、図２（ｃ）は胴部２のＢ−Ｂ´水平断面図である。
【００１７】
角型チェンジナットブッシュ本体１は、それぞれ略直方体状の胴部２、胴部２の下に胴下部４、胴下部４の下にリブ部５を備え、内部の垂直方向に貫通孔８を有する。胴部２には４面にわたって、外周方向に水平に突出した４つの水平凸部９と、水平凸部９の中央部を縦に繋ぐように４つの垂直凸部３が設置されている。胴下部４は、後述するナットホルダー２１を挿入して設置するためのナットホルダー設置部６と、ナットホルダー設置部６の反対側に窓部７を有する。窓部７は、挿入されたナットホルダー２１を取り外し易くするためのものであり、ナットホルダー２１をブッシュ本体１から取り外す際、窓部７の外側からナットホルダー２１を指などで押し込むことにより、挿入されたナットホルダー２１を取り外す。窓部７は、ナットホルダー設置部６の開口面積より小さく、ここでは縦長の矩形状としている。
【００１８】
図３は、本発明に係る丸型チェンジナットブッシュ本体１１の外観を示す図である。図３（ａ）は正面図、図３（ｂ）は右側面図、図３（ｃ）は背面図、図３（ｄ）は平面図、図３（ｅ）は底面図である。なお、左側面図は図３（ｂ）と対称のため、省略している。図４は、本発明に係る丸型チェンジナットブッシュ本体１１の断面を示す図である。図４（ａ）は垂直断面図、図４（ｂ）はナットホルダー設置部１６のＡ−Ａ´水平断面図、図４（ｃ）は胴部１２のＢ−Ｂ´水平断面図である。
【００１９】
丸型チェンジナットブッシュ本体１１は、それぞれ円柱状の胴部１２、胴部１２の下に胴下部１４、胴下部１４の下にリブ部１５を備え、内部の垂直方向に貫通孔１８を有する。胴部１２には全周にわたって、外周方向に水平に突出した４つの水平凸部１９と、水平凸部１９の中央部を縦に繋ぐように４つの垂直凸部１３が設置されている。胴下部１４は、後述するナットホルダー２１を挿入して設置するためのナットホルダー設置部１６と、ナットホルダー設置部１６の反対側に窓部１７を有する。窓部１７は、挿入されたナットホルダー２１を取り外し易くするためのものであり、ナットホルダー２１をブッシュ本体１１から取り外す際、窓部１７の外側からナットホルダー２１を指などで押し込むことにより、挿入されたナットホルダー２１を取り外す。窓部１７は、ナットホルダー設置部１６の開口面積より小さく、ここでは縦長の矩形状としている。
【００２０】
図５は、本発明に係るナットホルダー２１の外観を示す図である。図５（ａ）は正面図、図５（ｂ）は左側面図、図５（ｃ）は右側面図、図５（ｄ）は背面図、図５（ｅ）は平面図である。なお、底面図は図５（ｅ）と対称のため、省略している。図６は、本発明に係るナットホルダー２１の断面を示す図である。図６（ａ）は中央上下方向のＡ−Ａ´垂直断面図、図６（ｂ）は中央左右方向のＢ−Ｂ´垂直断面図である。
【００２１】
ナットホルダー２１は、内部にナットを収納するためのナットの形状をした空間部２５と、空間部２５の中央に貫通孔２３を有する略角柱状の部品である。ナットホルダー２１の左側は、中央部が平面で、その両側が丸型チェンジナットブッシュ本体１１に挿入・設置したときに胴下部１４の外周と同じ外周となるような一定の曲率を有する曲面となっている。ナットホルダー２１の右側は、中央部が凸状になるような２つの対称な平面となっている。ナットホルダー２１は、角型チェンジナットブッシュ本体１と丸型チェンジナットブッシュ本体１１の両方に適用できるような形状とサイズを有するように設計されている。
【００２２】
図７は、本発明に係るスリーブ３１の外観を示す図である。図７（ａ）は正面図、図７（ｂ）は右側面図、図７（ｃ）は背面図である。なお、左側面図、平面図、底面図は図７（ｂ）と対称であるので、省略している。スリーブ３１は、中央に貫通孔３３を有し、底面の外周にリブ部３２を備える、円筒状の部品である。このスリーブ３１を使用することにより、チェンジナットブッシュ本体１１とナットホルダー２１との隙間がなくなるので、貫通孔１８からチェンジナットブッシュ本体１１内部への異物の混入や、チェンジナットブッシュ本体１１とアジャスターやキャスター等とのガタツキを抑えることができる。なお、このスリーブ３１を使用しないことで、Ｍ１２のナットの挿入が可能となる。
【００２３】
図８は、本発明に係る丸型チェンジナットブッシュの構成を示す概念図である。まず、丸型チェンジナットブッシュ本体１１に、スリーブ３１を上部の貫通孔１８から挿入し、リブ部１５の貫通孔１８に嵌合させる。次に、アジャスターやキャスター等に取り付けられたボルトに嵌合するナット４１に対して、適合するナットホルダー２１の空間部２５にナット４１を固定し、ナットホルダー設置部１６にそのナットホルダーを上下逆にして設置する。このように構成された丸型チェンジナットブッシュ本体１１を家具等の脚端部の内部に嵌合させ、アジャスターやキャスター等に取り付けられたボルトに嵌合させることで、ナット径（Ｍ３〜Ｍ１０）の変更に容易に対応できる。
【００２４】
図９は、本発明に係る丸型チェンジナットブッシュ１１の取り付けの実施例の外観および部分断面を示す図である。図８の説明で述べた丸型チェンジナットブッシュ本体１１に対して、アジャスター６１に接続されているボルト６２を貫通孔１８から挿入し、スリーブ３１を通してナットホルダー２１内のナット４１に嵌合させて、両者を固定する。次に、丸型チェンジナットブッシュ本体１１の胴部１２を什器等の脚端部５１の中に嵌合させる。これにより、パイプ径に対して大きなナット４１の取り付けが可能になり、Ｍ１２のナットの挿入が可能となる。また、ナットホルダー２１がブッシュ本体１１のナットホルダー設置部１６に固定されているので、当接している面積が従来構造のものよりはるかに大きくなるため、アジャスター等の取り付け時の圧縮荷重や、キャスター取り付け時の引っ張り荷重に対し、従来構造のものよりも確実に締め付けができる。
【００２５】
本発明は、以上述べた実施形態に限定されることはなく、他にも種々の実施形態を採用することができる。例えば、図８、図９については丸型チェンジナットブッシュ１１を例に説明を行ったが、角型チェンジナットブッシュ１についても同様に実施できる。本発明の実施形態に係るチェンジナットブッシュは合成樹脂などで製作できる。
【産業上の利用可能性】
【００２６】
本発明は、什器等の脚端部に、アジャスターやキャスター等を取付けるためのブッシュに利用可能である。
【符号の説明】
【００２７】
１  角型チェンジナットブッシュ本体
２、１２  胴部
３、１３  垂直凸部
４、１４  胴下部
５、１５  リブ部
６、１６  ナットホルダー設置部
７、１７  窓部
８、１８  貫通孔
９、１９  水平凸部
１１  丸型チェンジナットブッシュ本体
２１  ナットホルダー
２２  ナットホルダー本体部
２３、３３  貫通孔
２５  空間部
３１  スリーブ
３２  リブ部
４１  ナット
５１  什器等の脚端部
６１  アジャスター
６２  ボルト
【要約】
【課題】ナット径（Ｍ３〜Ｍ１０）の変更に容易に対応でき、Ｍ１２が挿入可能で、また、アジャスター等の取り付け時の圧縮荷重や、キャスター取り付け時の引っ張り荷重に対し、確実に締め付けが出来るブッシュを提供する。
【解決手段】アジャスターやキャスター等に取り付けられたボルトに嵌合するナット４１を固定するためのナットホルダー２１と、ナットホルダー２１を挿入して設置するためのナットホルダー設置部１６、および、ボルトの貫通孔１８を有し、什器等の脚端部の内部に嵌合するブッシュ本体１１とを備える。ブッシュ本体１１において、挿入されたナットホルダー２１を取り外し易くするための窓部をナットホルダー設置部１６の反対側に設ける。ブッシュ本体１１の貫通孔１８下部に嵌合し、ナットホルダー２１の下部に設置されるスリーブ３１を設ける。
【選択図】図８【図１】
0005194182.tif 000002
【図２】
0005194182.tif 000003
【図３】
0005194182.tif 000004
【図４】
0005194182.tif 000005
【図５】
0005194182.tif 000006
【図６】
0005194182.tif 000007
【図７】
0005194182.tif 000008
【図８】
0005194182.tif 000009
【図９】
0005194182.tif 000010